(57)【要約】【課題】移動機の客層に適した最適な映像コンテンツを短時間で容易に、かつ低コストで提供できる移動機用映像コンテンツ配信システムを得る。【解決手段】航空機１の内部には、乗客用映像配信サーバ２を備え、航空ビル内には、旅客機用コンテンツ配信サーバ３、データベースサーバ４、ｗｅｂサーバ５、チューナ６、搭乗ゲート１２内に設けられた光送受信器１３等をＬＡＮで接続した映像配信サイト８を設ける。航空機１内には乗客用映像配信サーバ２、機内光送受信器１４、乗客端末１６を設ける。そして、航空幾１のドアを開いたときに搭乗ゲート１２の光送受信器１４から機内光送受信器１３に目的地、乗客層に応じた乗客用映像コンテンツを送信して、各乗客端末１６に提供する。【選択図】      図１
2004194059.tif 000002
【特許請求の範囲】
【請求項１】
乗客を搭乗させる移動機が搭乗建物に対向させられたとき、前記移動機に対して無線通信で前記乗客用の映像コンテンツを送信する移動機用映像コンテンツ配信システムであって、
前記移動機は、
前記乗客の座席毎に、前記映像コンテンツを提供するための表示器を有する乗客用端末を有し、これらの乗客用端末及び乗客用映像配信サーバ並びに前記ドアの開口部の外から無線信号を受信可能に設けた機内無線送受信器に第１の構内ネットワークで接続した乗客用映像端末配信システムを備え、
前記乗客用映像配信サーバは、前記機内無線送受信器が受信した各種コンテンツを保存し、前記乗客用端末からの要望に応じた種類のコンテンツを提供する手段を有し、
前記搭乗建物は、
前記移動機を対向させるためのゲートを有し、該ゲートに前記移動機のドアが開かれたときに前記機内無線送受信器に対向する無線送受信器を設け、該無線送受信器と移動機用コンテンツ配信サーバとを第２の構内ネットワークで接続すると共に、前記現地情報、各種コンテンツを保存するデータベースサーバを備えた映像配信ターミナルシステムを有し、
前記移動機用映像コンテンツ配信サーバは、前記無線送受信器を介して前記移動機の機内無線送受信器に、前記乗客用の映像コンテンツ、現地情報を前記データベースサーバから抽出して送信させる手段
を有することを特徴とする移動機用映像コンテンツ配信システム。
【請求項２】
前記無線通信は光無線通信であり、前記映像配信ターミナルシステムはさらに現地情報を収集するためのｗｅｂページを公衆ネットワークに提供するｗｅｂサーバを備えたことを特徴とする請求項１記載の移動機用映像コンテンツ配信システム。
【請求項３】
前記映像配信ターミナルシステムは、衛星放送からの各国のテレビジョン放送を受信して前記データベースサーバに保存するチューナを備え、前記移動機用映像コンテンツ配信サーバは、前記チューナが受信したテレビジョン放送のコンテンツを前記データベースサーバに保存させて前記無線送受信器を介して送信することを特徴とする請求項１又は２記載の移動機用映像コンテンツ配信システム。
【請求項４】
前記データベースサーバは、
映画、ニュース、広告、観光情報、ビジネス情報のコンテンツ及び前記現地情報を、多数の国の言語にして保存する共に、前記テレビジョン放送のコンテンツを保存し、
前記乗客用映像コンテンツ配信サーバは当該移動機の運行情報を記憶し、
前記移動機用映像コンテンツサーバは、
前記光送受信器を介して前記運行情報を受信し、該運行情報に基づいて前記移動機の乗客層の傾向を算出し、該傾向に該当する各種コンテンツ、現地情報を前記データベースから抽出して前記無線送受信器を介して送信する手段と
を有することを特徴とする請求項１、２又は３記載の移動機用映像コンテンツ配信システム。
【請求項５】
前記移動機用映像配信サーバは、前記広告を前記映像コンテンツとして配信したときは、その回数に基づいて広告料の受け取り処理を行う手段と
を有することを特徴とする請求項１、２、３又は４記載の移動機用映像コンテンツ配信システム。
【発明の詳細な説明】
【０００１】
【発明の属する技術分野】
本発明は、航空機、バス、電車等の移動機に対して映像、広告、ニュース等を無線で送信して乗客にきめ細かなコンテンツを提供する移動機用映像コンテンツ配信システムに関する。
【０００２】
【従来の技術】
交通機関を利用して遠くに旅行をする場合、長時間座っていなければならない。そこで、長時間座っていても、乗客に飽きさせないために、国際線の航空機などで搭乗時間が長い場合は、乗客のためのサービスとして映画を上映することが広く一般に行われている。
【０００３】
例えば、搭乗時間に合わせて映画を数本上映したりする。また、最近では座席に液晶モニタを設けて乗客が自由に映画を選べるサービスも登場してきている。
【０００４】
また、乗客に適しているコンテンツは、乗客の言語に合わせたコンテンツや、目的地の最新のニュース映像、また目的国で販売している商品のコマーシャル映像などが挙げられる。
【０００５】
そして、航空機の乗客は、航空会社、目的地、期間、時間帯に応じて、観光客又はビジネス客若しくは帰省客に大半が区別される場合が多い。このため、しゃべる言語、客層はかなり均一である。一方、長時間椅子に座っているため映像を見る確率はかなり高く、客層に合わせた映画や、観光・ビジネス情報、広告を流せば顧客満足度はかなりあがり広告の効果も高いと言われている。
【０００６】
しかし、航空機、バス、列車（以下総称して移動機という）はいつも同じ路線を往復するわけではなく、いろいろな路線を回って運行していることが多い。そのため機内で上映するコンテンツはそのたびに変更（ビデオテープ、ＤＶＤ等の記録媒体の手作業による交換）する必要があった。
【０００７】
一方、乗客の最新のニュースやスポーツ実況の映像をリアルタイムに移動機が受信して、乗客に配信するシステムもある（例えば、特許文献１）。
【０００８】
【特許文献１】
特表２００１−５０３９４７号公報
【０００９】
【発明が解決しようとする課題】
このように移動機の路線に応じて映像コンテンツを手作業で入れ替えを行っていたので、交換の作業時間がかかると共に、交換のための作業員が必要であるからコスト高になるという課題があった。
【００１０】
つまり、移動機の路線のスケジュールを調べ、その路線に応じたコンテンツを記録した記録媒体を移動機に運んでいた。
【００１１】
すなわち、出発直前のあわただしい時間内に、移動機の目的地に応じた映像コンテンツ（ニュース、映画等）を記録した記録媒体を多数用意していた。
【００１２】
また、映像コンテンツの選択に当たっては、移動機の乗客が望む言語が何語が適当かを移動機の目的地、期間、時間帯等に応じて選択していた。さらに、映画は、目的地に到着する時間内に終わるものを選択していた。
【００１３】
一方、ニュースは特定放送局が配信したニュースであり、観光案内は、特定業者が制作した観光ルートである。
【００１４】
しかしながら、観光、ビジネス等で現地を何度も訪問したことがある乗客にとっては、さらに興味深い情報をよくしていることが多い。
【００１５】
すなわち、従来の移動機の乗客に対する映像コンテンツの配信は、きめ細かな映像コンテンツを配信してはいないという課題があった。
【００１６】
本発明は以上の課題を解決するためになされたもので、移動機の客層に適した最適な映像コンテンツを短時間で容易に、かつ低コストで提供できる移動機用映像コンテンツ配信システムを得ることを目的とする。
【００１７】
【課題を解決するための手段】
本発明は、乗客を搭乗させる移動機が搭乗建物に対向させられたとき、前記移動機に対して無線通信で前記乗客用の映像コンテンツを送信する移動機用映像コンテンツ配信システムである。
【００１８】
前記移動機は、前記乗客の座席毎に、前記映像コンテンツを提供するための表示器を有する乗客用端末を有し、これらの乗客用端末及び乗客用映像配信サーバ並びに前記ドアの開口部の外から無線信号を受信可能に設けた機内無線送受信器に第１の構内ネットワークで接続した乗客用映像端末配信システムを備え、
前記乗客用映像配信サーバは、前記機内無線送受信器が受信した各種コンテンツを保存し、前記乗客用端末からの要望に応じた種類のコンテンツを提供する手段を有する。
【００１９】
前記搭乗建物は、前記移動機を対向させるためのゲートを有し、該ゲートに前記移動機のドアが開かれたときに前記機内無線送受信器に対向する無線送受信器を設け、該無線送受信器と移動機用コンテンツ配信サーバとを第２の構内ネットワークで接続すると共に前記現地情報、各種コンテンツを保存するデータベースサーバを備えた映像配信ターミナルシステムを有する。
【００２０】
前記移動機用映像コンテンツ配信サーバは、前記無線送受信器を介して前記移動機の機内無線送受信器に、前記乗客用の映像コンテンツ、現地情報を前記データベースサーバから抽出して送信させる手段を備えたことを要旨とする。
【００２１】
【発明の実施の形態】
以下、本発明の移動機用映像コンテンツ配信システムについて、添付図面を参照して説明する。本実施の形態では移動機を航空機として説明する。
【００２２】
図１に示すように、航空機１の内部には、乗客用映像配信サーバ２を備え、航空ビル内には、旅客機用コンテンツ配信サーバ３、データベースサーバ４、ｗｅｂサーバ５、チューナ６等をＬＡＮで接続した映像配信サイト８（映像配信ターミナルシステムともいう）が設けられている。この映像配信サイト８は、インターネット１０に接続されている。また、映像配信サイト８はインターフェース１１を介して、搭乗ゲート１２内に設けられた無線送受信部の一例である光送受信器１３に接続されている。
【００２３】
一方、航空機１内に設けられた乗客用映像配信サーバ２は、機内光送受信器１４と、座席１５（１５ａ、１５ｂ、……）の乗客端末１６（１６ａ、１６ｂ、……）にＬＡＮ（Local Area Network）で接続（総称して乗客用映像端末配信システムともいう）され、乗客端末１６に対して希望の乗客用映像コンテンツを提供する。
【００２４】
前述の機内光送受信器１４は、ドア１７を開いたときに、搭乗ゲート１２内の光送受信器１３に対向する位置（例えばドア開口部の上部中央）に設けられている。
【００２５】
また、搭乗ゲート１２の光送受信器１３は搭乗ゲート１２の先端部の上面中央に取り付けられ、起動スイッチ１９の操作によって機内光送受信器１４に対して光り信号を送信して、互いに光軸調整を行う。
【００２６】
（各部の構成）
乗客用映像配信サーバ２は、光軸合せ部２０と、コンテンツ記憶部２１と、要求種別判定部２２と、コンテンツ配信部２３等（ＣＰＵ、ＲＡＭ、ＲＯＭ、バスなどでこれらの部を実現する）を備えている。
【００２７】
光軸合わせ部２０は、機内光送受信器１４が搭乗ゲート１２の光送受信器１３から光軸合せ信号を受信したとき、この信号に同期して光軸合せ信号を発射する。そして、搭乗ゲート１２の光送受信器１３からの光軸合わせ信号の光軸に正対するように機内光送受信器１４の向き（水平、垂直）を調整した後に、光送受信器１３からの光信号を整形する。また、機内光送受信器１４は、水平、垂直角度調整機構を有する。
【００２８】
コンテンツ記憶部２１は、運行情報Ａ２ｉ（目的地、発着地、運行ルート、国籍、発着予定日時、到着予定日時：図２（ａ）参照）をデータベース２４に記憶する。
【００２９】
また、コンテンツ記憶部２１は、機内光送受信器１４からのデータが乗客用映像コンテンツＡ１ｉを示している場合は、データベース２４に記憶する。
【００３０】
乗客用映像コンテンツＡ１ｉは、映画、ニュース、観光情報、ビジネス情報、広告、現地情報（これらの情報は、英語、フランス後、日本語、中国後盤がある）等である。
【００３１】
例えば、図２（ｂ）に示すように、乗客用映像コンテンツＡ１ｉは、乗客層に応じた、映画、ニュース、広告、観光情報、気象情報、現地情報等からなり、英語、日本語、フランス語盤で保存されている。
【００３２】
種別判別部２２は、乗客端末１６（１６ａ、１６ｂ、……）からの要求種別を判別し、その種別が日本語の映画を示しているときは、データベース２４から該当の日本語の映画を抽出する。
【００３３】
また、種別がニュース、英語を示しているときは、該当のニュース（英語）を抽出する。
【００３４】
さらに、種別が現地情報を示しているときは、データベース２４から該当する現地情報を抽出する。
【００３５】
コンテンツ配信部２３は、抽出された乗客用映像コンテンツ（映画、ニュース、現地情報…）を、アクセス要求があった乗客端末１６（１６ａ、１６ｂ、……）にＬＡＮを介して送信する。
【００３６】
空港ビルの映像配信サイト８のデータベースサーバ４は、図３に示すように、多数の旅客機用映像コンテンツを保存している。図３においては、種別（映画、広告、ニュース、番組情報、ビジネス情報、現地情報等）と、タイトル名と、放映時間と、言語と、コンテンツの記憶アドレスとを対応させている。
【００３７】
ｗｅｂサーバ５は、情報提供のホームページを有し、このホームページをインターネットを介して提供する。本実施の形態では情報提供者端末３０ａ、３０ｂ、…から情報提供があるとし、この情報提供の情報をデータベースサーバ４に保存する。これを本実施の形態では現地情報と称している。
【００３８】
また、現地情報は、映像配信サイト８において、各国の言葉に翻訳されて保存されている。
【００３９】
また、チューナ７は、衛星放送で各国の番組（ニュースを含む）を受信して、データベースサーバ４に保存している。
【００４０】
乗客用映像配信サーバ２は、光軸合せ部２５、運行情報判定部２６、乗客用コンテンツ抽出部２７、コンテンツ配信部２８等（ＣＰＵ、ＲＡＭ、ＲＯＭ、バスなどでこれらの部を実現する）を備えている。
【００４１】
光軸合せ部２５は、搭乗ゲート１２の光送受信器１３から起動スイッチ１９の押下が知らせられると、光軸合せ信号を発射する。そして、機内光送受信器１４からの光軸合せ信号を受信して、光送受信器１３からの光信号の光軸に正対するように光送受信器１３の向き（水平、垂直）を調整した後に、機内光送受信器１４からの光信号を整形する。また、光送受信器１３は、水平、垂直角度調整機構を有する。
【００４２】
運行情報判定部２６は、光送受信器１３が乗客用映像配信サーバ２から運行情報Ａ２ｉ（目的地、発着地、運行ルート、国籍、発着予定日時、到着予定日時：図２（ａ）参照）を受信したとき、この運行情報Ａ２ｉに基づく客層の傾向を判定する。
【００４３】
例えば、出発地、到着地、出発曜日、時間帯により、要求される言語が何がよいか、どんなコンテンツが良いかは一定の傾向を示すことが知られている。このため、本実施の形態では運行情報Ａ２ｉをパラメータとし、このパラメータに一致する傾向を計算する。
【００４４】
乗客用コンテンツ抽出部２７は、運行情報判定部２６で判定した乗客の傾向に対応する最適な旅客機用映像コンテンツをデータベースサーバ４から抽出する。また、本実施の形態では図示してはいないが、搭乗受付サーバにアクセスして、搭乗便の乗客名簿の客層を抽出し、この客層を前述のパラメータに付加した傾向を抽出し、この傾向に該当する旅客機用映像コンテンツを抽出してもよい。
【００４５】
コンテンツ配信部２８は、抽出された旅客機用映像コンテンツをインターフェース１１を介して、搭乗ゲート１２内に設けられた光送受信器１３に対して送信する。この送信するコンテンツを本実施の形態では乗客用映像コンテンツＡ１ｉと称している。
【００４６】
光送受信器１３は、光通信（１００Ｍｂｐｓ、１Ｇｂｐｓ）で乗客用映像コンテンツＡ１ｉを機内光受信器１４に送信する。
【００４７】
光通信は電波障害がなく、非接触で、また秘匿性も高いので、航空機に好適な送信方法である。また、このとき、ＭＰＥＧなどの圧縮技術を用いてもよい。
【００４８】
また、チューナは、衛星を介して各国のニュースを絶えず受信し、データベースのテレビ番組を最新のものに更新している。
【００４９】
（動作説明）
上記のように構成された移動機用映像コンテンツ配信システムについて図４のシーケンスを用いて以下に動作を説明する。
【００５０】
搭乗ゲート１２を航空機１のドアに接着させた後に、航空機１のドアを開くと、航空機１の機内光送受信器１４と、搭乗ゲート１２の光送受信器１３とは起動スイッチ１９の押下で、互いに光軸合わせを行う。
【００５１】
そして、映像配信サイト８の旅客機用コンテンツ配信サーバ３がスタート信号を光送受信器１３を介して送信する（ｄ１）。
【００５２】
次に、映像配信サイト８の旅客機用コンテンツ配信サーバ３がＩＤ要求信号を送信し（ｄ２）、乗客用映像配信サーバ２は、ＩＤ要求信号の受信に伴って正しいＩＤ要求かどうかを認証し、認証結果が「ＯＫ」のときは、予め登録されている固有ＩＤを送信する（ｄ３）。
【００５３】
映像配信サイト８の旅客機用コンテンツ配信サーバ３は、光送受信器１３からの固有ＩＤを受信して認証した後に、運行情報要求を光送受信器１３を介して機内光送受信器１４に送信する（ｄ４）。
【００５４】
航空機１内の乗客用映像配信サーバ２は、データベース２４に記憶されている運行情報Ａ２ｉを読み出して、光送受信器１３を介して送信する（ｄ５）。
【００５５】
空港ビルの旅客機用映像配信サーバ３は、乗客用映像配信サーバ２から運行情報Ａ２ｉを受信したとき、この運行情報Ａ２ｉに基づく客層の傾向を判定し、最適な乗客用映像コンテンツを抽出して（ｄ６）、送信させる（ｄ７）。
【００５６】
例えば、出発地、到着地、出発曜日、時間帯により、要求される言語が何がよいか、どんなコンテンツが良いかは一定の傾向を示すことが知られている。このため、本実施の形態では運行情報Ａ２ｉをパラメータとし、このパラメータに一致する傾向を計算し、計算した傾向に一致する運行情報を抽出する。
【００５７】
また、本実施の形態では図示してはいないが、搭乗受付サーバにアクセスして、搭乗便の乗客名簿の客層を抽出し、この客層を前述のパラメータに付加した傾向を抽出してもよい。
【００５８】
次に、乗客用コンテンツ抽出部２７は、運行情報判定部２６で判定した乗客の傾向に対応する最適な旅客機用映像コンテンツをデータベースサーバ４から抽出する。
【００５９】
この抽出時には、まず搭乗時間よりも短い映画を第１候補とする。そして第１候補の中からさらに空港の国の言語と合致する映画を例えば２つ選択する。次に第１候補のなかから目的地の国の言語の映画を２つ選択する。そして第１候補の映画の中から航空会社の国の言語の映画をひとつ選択する。もちろん各言語がだぶっている場合は他の言語で選択する映画の本数を増やしてもよい。
【００６０】
次にコマーシャル映像を選択する。まず目的地の国と登録されている配信国名が合致するコマーシャル映像を２つ選択する。次に航空会社の国と登録されている配信国名が合致するコマーシャル映像を例えば２つ選択する。
【００６１】
そして、ニュースを選択する。ニュースは目的地の国のニュースを選択する。このニュースは最新のものに更新されている。このようにして送信すべきコンテンツが決定する。
【００６２】
従って、航空機の配信サーバーには空港の国の言語、目的地の国の言語、航空会社の国の言語に合わせた映画が蓄積される。そのためほとんどの乗客が自分に適した言語の映画を選択することが出来る。また配信サーバーは同一の言語の映画の種類を多く蓄積できるので乗客は多くの映画から選択することが出来る。
【００６３】
また空港の蓄積サーバーからニュースを受信しているので、出発直前の目的国の最新ニュースをみることができる。また航空機にニュース受信システムを設ける必要がない。
【００６４】
またコマーシャル依頼会社は最も効率のよい航空機にコマーシャルが流れるので、広告の効率がよい。さらに実際に送信された回数に基づいて広告料を支払うので費用に無駄がない。
【００６５】
更に航空機の記憶装置に無駄に多くの映画を蓄積する必要がないので記憶容量を小さくでき、コストを削減できる。
【００６６】
次に、  コンテンツ配信部２８は、インターフェース１１を介して、搭乗ゲート１２内に設けられた光送受信器１３に対して乗客用映像コンテンツＡ２ｉを送信する。つまり、いちいち人手により映像コンテンツを航空機内に運んでいない。また、通信速度も１００Ｍｂｐｓ、１Ｇｂｐｓのものを使って、機内に配信しているので短時間で客層に応じたコンテンツを配信している。
【００６７】
一方、航空機１内の乗客用映像配信サーバ２は、乗客用映像コンテンツＡ２ｉを受信してデータベースに保存する（ｄ８）。そして、エラーチェックを行い（ｄ９）、エラーがない場合は、終了信号を旅客機用コンテンツ配信サーバ３に機内光送受信器１３、光送受信器１４を介して送信する（ｄ１０）。
【００６８】
一方、旅客機用コンテンツ配信サーバ３は、広告主に対する広告課金のデータを更新する（ｄ１１）。例えば、期間が８月で混雑する時期においては、広告課金料を引き上げ、混雑していない時期については料金を引き下げる。
【００６９】
そして、この広告の配信回数に応じた課金データを広告主に請求する（ｄ１２）。
【００７０】
一方、乗客用映像配信サーバ２はデータベースサーバ４のなかの例えばニュースのようなリアルタイム情報である古いコンテンツをすべて消去し、新たに送信されてきたコンテンツを保存する。
【００７１】
（機内での運用）
航空機１が出発し安全な高度に達すると、映像配信が開始される。乗客は各座席ににある乗客端末１６を操作して映画やニュースなどのコンテンツを選び、配信を要求する。
【００７２】
乗客用映像配信サーバー２は要求されたコンテンツを乗客端末１６に配信する。配信されたコンテンツはモニタで再生される。
【００７３】
例えば、図５に示すように、モニタにはメニュー画面が表示され、この中から乗客は希望のコンテンツを選択する。図５においては英語、日本語でコンテンツを提供することを示している。
【００７４】
特に、現地情報は、現地の情報提供者が搭乗前に、観光地の状況、穴場、スポーツ選手の状況をインターネットで知らせてきた情報（時間があれば、多数国の言語に吹き替えしている）であるから、乗客は詳細な情報を事前に得ることが可能となっている。
【００７５】
【発明の効果】
以上のように本発明によれば、移動機の路線に応じて映像コンテンツを手作業で入れ替えなくとも、移動機が搭乗建物のゲートに接着させられたときには、移動機の目的地、乗客層に応じたコンテンツが搭乗建物内の映像配信ターミナルシステムから光り通信で自動的に乗客用映像端末配信システムに送信される。
【００７６】
すなわち、短時間でかつ移動機の機器に影響を及ぼすことなく、並びにコスト低下で乗客層に応じたコンテンツを提供できるという効果が得られている。
【００７７】
また、ｗｅｂサーバで現地の最新の情報を収集して、移動機が搭乗建物のゲートに接着させられたときに、光り通信で自動的に乗客用映像端末配信システムに送信するので、さらに、興味深い情報を乗客に提供できるという効果が得られている。またコマーシャル依頼会社は広告の効率がよく、費用に無駄がない。
【図面の簡単な説明】
【図１】本実施の形態の移動機用映像コンテンツ配信システムの概略構成図である。
【図２】航空機の乗客用映像配信サーバに記憶されるコンテンツを説明する説明図である。
【図３】空港ビルのデータベースサーバに保存されるコンテンツを説明する説明図である。
【図４】本実施の形態の移動機用映像コンテンツ配信システムの動作を説明するシーケンス図である。
【図５】乗客端末に表示されるメニュー画面の説明図である。
【符号の説明】
１  航空機
２  乗客用映像配信サーバ
３  旅客機用コンテンツ配信サーバ
４  データベースサーバ
５  ｗｅｂサーバ
６  チューナ
８  映像配信サイト
１０  インターネット
１２  搭乗ゲート
１３  光送受信器
１４  機内光送受信器
【図１】
2004194059.tif 000003
【図２】
2004194059.tif 000004
【図３】
2004194059.tif 000005
【図４】
2004194059.tif 000006
【図５】
2004194059.tif 000007